(57)【特許請求の範囲】
【請求項１】
被検体を撮影する撮影手段と、その撮影手段で撮影した画像を表示する表示手段と、前記撮影手段や前記表示手段に電力を供給する電源手段とがそれぞれ別体で設置された医用撮影装置であって、前記撮影手段と前記表示手段と前記電源手段の直近まで延びる接地板を設置し、前記撮影手段と前記表示手段と前記電源手段をそれぞれの直近で前記接地板に接地したことを特徴とする医用撮影装置。
【請求項２】
導電性のシールド材で囲まれたシールド室と、そのシールド室内に設置され被検体を撮影する撮影手段と、前記シールド室外に設置され前記撮影手段で撮影した画像を表示する表示手段と、前記シールド室外に設置され前記撮影手段や前記表示手段に電力を供給する電源手段とを備えた医用撮影装置であって、前記シールド室と前記表示手段と前記電源手段の直近まで延びる接地板を設置し、前記撮影手段をその直近で前記シールド材に接地し、前記シールド室と前記表示手段と前記電源手段をそれぞれの直近で前記接地板に接地したことを特徴とする医用撮影装置。
【請求項３】
導電性のシールド材で囲まれたシールド室と、そのシールド室内に設置され被検体を撮影する撮影手段とを備えた医用撮影装置であって、前記撮影手段をその直近で前記シールド材に接地したことを特徴とする医用撮影装置。
【請求項４】
シールド材で囲まれたシールド室と、そのシールド室内に設置され被検体を撮影する撮影手段とを備えた医用撮影装置であって、前記シールド室内に接地板を設置し、前記撮影手段をその直近で前記接地板に接地したことを特徴とする医用撮影装置。
【発明の詳細な説明】
【０００１】
【発明の属する技術分野】
本発明は、医用撮影装置に関し、さらに詳しくは、接地回路のインピーダンスを低減することができる医用撮影装置に関する。
【０００２】
【従来の技術】
図９に、従来のＭＲＩ（Ｍagnetic Ｒesonance Imaging）装置の一例を示す。このＭＲＩ装置６００は、磁性体のシールド材ｓおよび内装材ｉで囲まれたシールド室ＳＲと、そのシールド室ＳＲ内に設置されたマグネットＭと、前記シールド室ＳＲ内に設置され被検体を載せて前記マグネットＭ内の磁場空間に被検体を移動させるテーブルＴと、前記シールド室ＳＲ内に設置され前記テーブルＴなどに電力を供給するシールド室内電源Ｐと、前記シールド室ＳＲ外に設置され前記マグネットＭで撮影した画像を表示するためのオペレータコンソールＯＣと、前記シールド室ＳＲ外に設置され前記マグネットＭや前記オペレータコンソールＯＣに電力を供給する集中電源ＩＰＳと、前記マグネットＭに勾配電流を供給する勾配電源ＧＰＳとを備えている。
【０００３】
そして、前記オペレータコンソールＯＣは接地ケーブル６１により前記集中電源ＩＰＳの接地端子に接地され、前記勾配電源ＧＰＳは接地ケーブル６３により前記集中電源ＩＰＳの接地端子に接地されている。
また、前記テーブルＴは接地ケーブル６５により前記マグネットＭの接地端子に接地され、前記シールド室内電源Ｐは接地ケーブル６７により前記マグネットＭの接地端子に接地されている。
さらに、前記前記マグネットＭの接地端子は、接地ケーブル６８，６９により前記集中電源ＩＰＳの接地端子に接地されている。
また、前記シールド室ＳＲ内の接地ケーブル６８と、前記シールド室ＳＲ外の接地ケーブル６９とは、貫通盤ＰＰを介して接続されている。
【０００４】
なお、ＦＬは設置床であり、ｆは床材である。
【０００５】
【発明が解決しようとする課題】
図１０に、上記従来のＭＲＩ装置６００における接地回路を示す。
Ｚ６１は接地ケーブル６１のインピーダンスであり、Ｚ６３は接地ケーブル６３のインピーダンスであり、Ｚ６５は接地ケーブル６５のインピーダンスであり、Ｚ６７は接地ケーブル６７のインピーダンスであり、Ｚ６８は接地ケーブル６８のインピーダンスであり、Ｚ６９は接地ケーブル６９のインピーダンスである。
【０００６】
貫通盤ＰＰをシールド室基準電位とするとき、Ｚ６８がマグネットＭ，テーブルＴおよびシールド室内電源Ｐの共通インピーダンスとなる。いま、接地ケーブル６８が直流抵抗値０.９４７Ω／ｋｍで長さ２０ｍとすると、Ｚ６８は１９ｍΩとなる。
【０００７】
また、集中電源ＩＰＳの接地端子をシステム基準電位とするとき、（Ｚ６８＋Ｚ６９）がマグネットＭ，テーブルＴおよびシールド室内電源Ｐの共通インピーダンスとなる。いま、接地ケーブル６８が直流抵抗値０.９４７Ω／ｋｍで長さ２０ｍとすると、Ｚ６８は１９ｍΩとなる。また、接地ケーブル６９が直流抵抗値０.９４７Ω／ｋｍで長さ２０ｍとすると、Ｚ６９は１９ｍΩとなる。よって、共通インピーダンスは３８ｍΩとなる。また、接地ケーブル６５が直流抵抗値０.９４７Ω／ｋｍで長さ５ｍとすると、テーブルＴから集中電源ＩＰＳの接地端子までのインピーダンス（Ｚ６５＋Ｚ６８＋Ｚ６９）は４３ｍΩとなる。
【０００８】
さらに、接地ケーブル６１，６３，６５，６７，６８および６９では、表皮効果のために、高周波帯域でのインピーダンスが大きくなる。
【０００９】
このように、上記従来のＭＲＩ装置６００では、接地ケーブル６１，６３，６５，６７，６８および６９が引き回しのために長くなってしまうため、直流的にも高周波的にも接地回路のインピーダンスが大きくなり、これが画質の低下やノイズ発生の原因となる問題点があった。
そこで、本発明の目的は、接地回路のインピーダンスを低減することができる医用撮影装置を提供することにある。
【００１０】
【課題を解決するための手段】
第１の観点では、本発明は、被検体を撮影する撮影手段と、その撮影手段で撮影した画像を表示する表示手段と、前記撮影手段や前記表示手段に電力を供給する電源手段とがそれぞれ別体で設置された医用撮影装置であって、前記撮影手段と前記表示手段と前記電源手段の直近まで延びる接地板を設置し、前記撮影手段と前記表示手段と前記電源手段をそれぞれの直近で前記接地板に接地したことを特徴とする医用撮影装置を提供する。
上記第１の観点の医用撮影装置では、撮影手段と表示手段と電源手段の直近まで延びる接地板を設置した。従来の接地ケーブルは、線であり、引き回しのために長くなってしまうと共に、表皮効果の影響が大きい。一方、本発明の接地板は、面であり、引き回しがなく、撮影手段と表示手段と電源手段を最短で結ぶことが出来る。また、表皮効果の影響が小さい。よって、接地回路のインピーダンスを低減でき、画質の低下やノイズ発生を防止することが出来る。
【００１１】
第２の観点では、本発明は、導電性のシールド材で囲まれたシールド室と、そのシールド室内に設置され被検体を撮影する撮影手段と、前記シールド室外に設置され前記撮影手段で撮影した画像を表示する表示手段と、前記シールド室外に設置され前記撮影手段や前記表示手段に電力を供給する電源手段とを備えた医用撮影装置であって、前記シールド室と前記表示手段と前記電源手段の直近まで延びる接地板を設置し、前記撮影手段をその直近で前記シールド材に接地し、前記シールド材と前記表示手段と前記電源手段をそれぞれの直近で前記接地板に接地したことを特徴とする医用撮影装置を提供する。
上記第２の観点の医用撮影装置では、シールド室と表示手段と電源手段の直近まで延びる接地板を設置した。従来の接地ケーブルは、線であり、引き回しのために長くなってしまうと共に、表皮効果の影響が大きい。一方、本発明の接地板は、面であり、引き回しがなく、シールド室と表示手段と電源手段を最短で結ぶことが出来る。また、表皮効果の影響が小さい。よって、接地回路のインピーダンスを低減でき、画質の低下やノイズ発生を防止することが出来る。さらに、シールド材を利用するため、接地板のサイズが小さくて済む。
【００１２】
第３の観点では、本発明は、導電性のシールド材で囲まれたシールド室と、そのシールド室内に設置され被検体を撮影する撮影手段とを備えた医用撮影装置であって、前記撮影手段をその直近で前記シールド材に接地したことを特徴とする医用撮影装置を提供する。
上記第３の観点の医用撮影装置では、シールド材を利用して撮影手段を接地した。従来の接地ケーブルは、線であり、引き回しのために長くなってしまうと共に、表皮効果の影響が大きい。一方、シールド材は、面であり、引き回しがなく、撮影手段を最短で接地することが出来る。また、表皮効果の影響が小さい。よって、接地回路のインピーダンスを低減でき、画質の低下やノイズ発生を防止することが出来る。さらに、シールド材を利用するため、接地ケーブルが不要となる。
【００１３】
第４の観点では、本発明は、シールド材で囲まれたシールド室と、そのシールド室内に設置され被検体を撮影する撮影手段とを備えた医用撮影装置であって、前記シールド室内に接地板を設置し、前記撮影手段をその直近で前記接地板に接地したことを特徴とする医用撮影装置を提供する。
上記第４の観点の医用撮影装置では、シールド室内に接地板を敷設した。従来の接地ケーブルは、線であり、引き回しのために長くなってしまうと共に、表皮効果の影響が大きい。一方、接地板は、面であり、引き回しがなく、撮影手段を最短で接地することが出来る。また、表皮効果の影響が小さい。よって、接地回路のインピーダンスを低減でき、画質の低下やノイズ発生を防止することが出来る。さらに、シールド材が非導電性であってもよい。
【００１４】
なお、本発明にかかる医用撮影装置は、ＭＲＩ装置，ＣＴ装置，Ｘ線撮影装置を含む。
また、本発明にかかるシールド材は、磁気，Ｘ線，電波，静電気などの１以上をシールド可能な材料であり、ケイ素鋼板，鉛を含む。
【００１５】
【発明の実施の形態】
以下、図に示す実施の形態により本発明をさらに詳細に説明する。なお、これにより本発明が限定されるものではない。
【００１６】
−第１の実施形態−
図１は、本発明の第１の実施形態に係るＭＲＩ装置を示すブロック図である。このＭＲＩ装置１００は、ケイ素鋼板製のシールド材ｓおよび内装材ｉで囲まれたシールド室ＳＲと、そのシールド室ＳＲ内に設置されたマグネットＭと、前記シールド室ＳＲ内に設置され被検体を載せて前記マグネットＭ内の磁場空間に被検体を移動させるテーブルＴと、前記シールド室ＳＲ内に設置され前記テーブルＴなどに電力を供給するシールド室内電源Ｐと、前記シールド室ＳＲ外に設置され前記マグネットＭで撮影した画像を表示するためのオペレータコンソールＯＣと、前記シールド室ＳＲ外に設置され前記マグネットＭや前記オペレータコンソールＯＣに電力を供給する集中電源ＩＰＳと、前記マグネットＭに勾配電流を供給する勾配電源ＧＰＳとを備えている。
【００１７】
設置床ＦＬと床材ｆの間には、前記シールド室ＳＲ，前記集中電源ＩＰＳ，前記勾配電源ＧＰＳおよび前記オペレータコンソールＯＣの各底部にまで延びる黄銅製の接地板１０が敷設されている。
【００１８】
そして、前記オペレータコンソールＯＣはその直近で接地線１により前記接地板１０に接地され、前記集中電源ＩＰＳはその直近で接地線２により前記接地板１０に接地され、前記勾配電源ＧＰＳはその直近で接地線３により前記接地板１０に接地されている。
また、前記シールド室４はその直近で接地線４により前記接地板１０に接地され、前記テーブルＴはその直近で接地線５により前記接地板１０に接地され、前記マグネットＭはその直近で接地線６により前記接地板１０に接地され、前記シールド室内電源Ｐはその直近で接地線７により前記接地板１０に接地されている。
【００１９】
図２に示すように、各接地線１〜７は、ネジ１ａ〜７ａにより、接地板１０に固定されている。
なお、図３に示すように、接地線１〜７とネジ１ａ〜７ａの代わりに、接地金具１ｂ〜７ｂとネジ１ｃ〜７ｃとスタッド１ｄ〜７ｄを用いてもよい。
【００２０】
接地板１０の体積抵抗率を６.８×１０-8Ωｍとし、厚みを６mmとし、電流経路幅を１０mmとし、テーブルＴから集中電源ＩＰＳまでの電流経路長を７ｍとすると、テーブルＴから集中電源ＩＰＳまでの接地回路のインピーダンスは７.９ｍΩ（＝６.８×１０-8Ωｍ×７ｍ÷６mm÷１０mm）となる。
【００２１】
上記第１の実施形態に係るＭＲＩ装置１００によれば、接地板１０は面であり、引き回しがなく、接地回路を最短にすることが出来る。また、表皮効果の影響が小さい。よって、接地回路のインピーダンスを低減でき、画質の低下やノイズ発生を防止することが出来る。
【００２２】
なお、前記接地板１０は、前記シールド室ＳＲ，前記集中電源ＩＰＳ，前記勾配電源ＧＰＳおよび前記オペレータコンソールＯＣの各底部の必要な所にのみ敷設してもよいし、設置床ＦＬの全面に敷設してもよい。また、設置床ＦＬの代わりに又は設置床ＦＬに加えて、壁や天井に、前記接地板１０を敷設してもよい。
【００２３】
−第２の実施形態−
図４は、本発明の第２の実施形態に係るＭＲＩ装置を示すブロック図である。このＭＲＩ装置２００は、ケイ素鋼板製のシールド材ｓおよび内装材ｉで囲まれたシールド室ＳＲと、そのシールド室ＳＲ内に設置されたマグネットＭと、前記シールド室ＳＲ内に設置され被検体を載せて前記マグネットＭ内の磁場空間に被検体を移動させるテーブルＴと、前記シールド室ＳＲ内に設置され前記テーブルＴなどに電力を供給するシールド室内電源Ｐと、前記シールド室ＳＲ外に設置され前記マグネットＭで撮影した画像を表示するためのオペレータコンソールＯＣと、前記シールド室ＳＲ外に設置され前記マグネットＭや前記オペレータコンソールＯＣに電力を供給する集中電源ＩＰＳと、前記マグネットＭに勾配電流を供給する勾配電源ＧＰＳとを備えている。
【００２４】
設置床ＦＬの上には床材ｆが敷設され、その床材ｆの上には、前記シールド室ＳＲの直近から前記集中電源ＩＰＳ，前記勾配電源ＧＰＳおよび前記オペレータコンソールＯＣの各底部にまで延びる黄銅製の接地板１１が敷設されている。
【００２５】
そして、前記オペレータコンソールＯＣはその直近で接地線１により前記接地板１１に接地され、前記集中電源ＩＰＳはその直近で接地線２により前記接地板１１に接地され、前記勾配電源ＧＰＳはその直近で接地線３により前記接地板１１に接地されている。
また、前記シールド室４はその直近で接地線４により前記接地板１１に接地されている。
【００２６】
一方、前記テーブルＴはその直近で接地線５により前記シールド材ｓに接地され、前記マグネットＭはその直近で接地線６により前記シールド材ｓに接地され、前記シールド室内電源Ｐはその直近で接地線７により前記シールド材ｓに接地されている。
【００２７】
図５に示すように、各接地線１〜７は、ネジ１ａ〜７ａにより、接地板１１またはシールド材ｓに固定されている。
なお、図６に示すように、接地線１とネジ１ａの代わりに接地金具１ｂとネジ１ａを用い（接地線２〜４も同じ）、接地線７とネジ７ａの代わりに接地金具７ｂと７ｃとスタッド７ｄを用いてもよい（接地線５，６も同じ）。
【００２８】
接地板１１の体積抵抗率を６.８×１０-8Ωｍとし、厚みを６mmとし、電流経路幅を１０mmとし、シールド室ＳＲから集中電源ＩＰＳまでの電流経路長を５.５ｍとすると、シールド室ＳＲから集中電源ＩＰＳまでの接地回路のインピーダンスは６.２ｍΩ（＝６.８×１０-8Ωｍ×５.５ｍ÷６mm÷１０mm）となる。また、シールド材ｓの体積抵抗率を６０×１０-8Ωｍとし、厚みを６mmとし、電流経路幅を１０mmとし、テーブルＴから接地板１１までの電流経路長を１.５ｍとすると、テーブルＴから接地板１１までの接地回路のインピーダンスは１５ｍΩ（＝６０×１０-8Ω／ｍ×１.５ｍ÷６mm÷１０mm）となる。よって、テーブルＴから集中電源ＩＰＳまでの接地回路のインピーダンスは２１.２ｍΩ（＝６.２ｍΩ＋１５ｍΩ）となる。
【００２９】
上記第２の実施形態に係るＭＲＩ装置２００によれば、接地板１１およびシールド材ｓは面であり、引き回しがなく、オペレータコンソールＯＣからシールド室内電源Ｐまでを最短で結ぶことが出来る。また、表皮効果の影響が小さい。よって、接地回路のインピーダンスを低減でき、画質の低下やノイズ発生を防止することが出来る。さらに、シールド材ｓを利用するため、接地板１１のサイズが小さくて済む。
【００３０】
−第３の実施形態−
図７は、本発明の第３の実施形態に係るＭＲＩ装置を示すブロック図である。このＭＲＩ装置３００は、ケイ素鋼板製のシールド材ｓおよび内装材ｉで囲まれたシールド室ＳＲと、そのシールド室ＳＲ内に設置されたマグネットＭと、前記シールド室ＳＲ内に設置され被検体を載せて前記マグネットＭ内の磁場空間に被検体を移動させるテーブルＴと、前記シールド室ＳＲ内に設置され前記テーブルＴなどに電力を供給するシールド室内電源Ｐと、前記シールド室ＳＲ外に設置され前記マグネットＭで撮影した画像を表示するためのオペレータコンソールＯＣと、前記シールド室ＳＲ外に設置され前記マグネットＭや前記オペレータコンソールＯＣに電力を供給する集中電源ＩＰＳと、前記マグネットＭに勾配電流を供給する勾配電源ＧＰＳとを備えている。
【００３１】
設置床ＦＬの上には床材ｆが敷設され、その床材ｆの上には、前記シールド室ＳＲの直近から前記集中電源ＩＰＳ，前記勾配電源ＧＰＳおよび前記オペレータコンソールＯＣの各底部にまで延びる黄銅製の接地板１１が敷設されている。
また、前記シールド室ＳＲの底部のシールド材ｓと内装材ｉの間には、黄銅製の接地板１２が敷設されている。
【００３２】
そして、前記オペレータコンソールＯＣはその直近で接地線１により前記接地板１１に接地され、前記集中電源ＩＰＳはその直近で接地線２により前記接地板１１に接地され、前記勾配電源ＧＰＳはその直近で接地線３により前記接地板１１に接地されている。
また、前記シールド室４はその直近で接地線４により前記接地板１１に接地されている。
【００３３】
一方、前記テーブルＴはその直近で接地線５により前記接地板１２に接地され、前記マグネットＭはその直近で接地線６により前記接地板１２に接地され、前記シールド室内電源Ｐはその直近で接地線７により前記接地板１２に接地されている。
また、前記接地板１２はその直近で接地線８，４により前記接地板１１に接地されている。
【００３４】
図８に示すように、各接地線１〜７は、ネジ１ａ〜７ａにより、接地板１１または接地板１２に固定されている。
【００３５】
接地板１１の体積抵抗率を６.８×１０-8Ωｍとし、厚みを６mmとし、電流経路幅を１０mmとし、シールド室ＳＲから集中電源ＩＰＳまでの電流経路長を５.５ｍとすると、シールド室ＳＲから集中電源ＩＰＳまでの接地回路のインピーダンスは６.２ｍΩ（＝６.８×１０-8Ωｍ×５.５ｍ÷６mm÷１０mm）となる。また、接地板１２の体積抵抗率を６.８×１０-8Ωｍとし、厚みを６mmとし、電流経路幅を１０mmとし、テーブルＴから接地板１１までの電流経路長を１.５ｍとすると、テーブルＴから接地板１１までの接地回路のインピーダンスは１.７ｍΩ（＝６.８×１０-8Ω／ｍ×１.５ｍ÷６mm÷１０mm）となる。よって、テーブルＴから集中電源ＩＰＳまでの接地回路のインピーダンスは３.２ｍΩ（＝１.５ｍΩ＋１.７ｍΩ）となる。
【００３６】
上記第３の実施形態に係るＭＲＩ装置３００によれば、接地板１１，１２は面であり、引き回しがなく、オペレータコンソールＯＣからシールド室内電源Ｐまでを最短で結ぶことが出来る。また、表皮効果の影響が小さい。よって、接地回路のインピーダンスを低減でき、画質の低下やノイズ発生を防止することが出来る。さらに、シールド材ｓが非導電体であってもかまわない。
【００３７】
【発明の効果】
本発明の医用撮影装置によれば、線であって引き回しのために長くなってしまうと共に表皮効果の影響が大きい接地ケーブルを用いずに、面であって引き回しがなく各手段を最短で結ぶことができると共に表皮効果の影響が小さい接地板またはシールド材を用いるため、接地回路のインピーダンスを低減でき、画質の低下やノイズ発生を防止することが出来る。
【図面の簡単な説明】
【図１】本発明の第１の実施形態に係るＭＲＩ装置を示す模式図である。
【図２】図１のＭＲＩ装置における接地方法の一例を示す断面図である。
【図３】図１のＭＲＩ装置における接地方法の他例を示す断面図である。
【図４】本発明の第２の実施形態に係るＭＲＩ装置を示す模式図である。
【図５】図４のＭＲＩ装置における接地方法の一例を示す断面図である。
【図６】図４のＭＲＩ装置における接地方法の他例を示す断面図である。
【図７】本発明の第３の実施形態に係るＭＲＩ装置を示す模式図である。
【図８】図７のＭＲＩ装置における接地方法の一例を示す断面図である。
【図９】従来のＭＲＩ装置の一例を示す模式図である。
【図１０】図９のＭＲＩ装置における接地回路のインピーダンスを示す回路図である。
【符号の説明】
１００，２００，３００      ＭＲＩ装置
１〜８                      接地線
１０，１１，１２            接地板
ｓ                          シールド材
ＳＲ                        シールド室
【図１】
0004231914.tif 000002
【図２】
0004231914.tif 000003
【図３】
0004231914.tif 000004
【図４】
0004231914.tif 000005
【図５】
0004231914.tif 000006
【図６】
0004231914.tif 000007
【図７】
0004231914.tif 000008
【図８】
0004231914.tif 000009
【図９】
0004231914.tif 000010
【図１０】
0004231914.tif 000011